(57)【要約】靴アッパー部（２）と、その靴アッパー部（２）に接合されたソール（３）とを備える靴（１）に関し、靴アッパー部（２）は、そのインステップ領域（４）に、２つの隣接配置されたテンション部（５）を有し、それらは間隙で隔てられていて、そこにレーシングシステム（６，７）が配置されて、これにより隣接配置されたテンション部（５）を互いに引き寄せることで、靴（１）の着用者の足に靴（１）を紐締めすることが可能であり、また、レーシングシステム（６，７）は、第１のテンション要素（７）を締めることができるセンタークロージャ（６）を有している。着用者の足における単純かつ改良されたレーシングを可能とするため、少なくとも１つのテンション伝達要素（８）を配し、それは第１のテンション部材（９）と第２のテンション部材（１０）とを含み、第１のテンション要素（７）は、第１のテンション部材（９）の中に係合して、これを第１のテンション要素（７）による紐締めの際に、インステップ領域（４）の方向に引っ張り、また、第２のテンション要素（１１）が、その両端（１２，１３）をソール（３）に固定されて配され、第２のテンション要素（１１）は、第２のテンション部材（１０）の中に係合して、これを第１のテンション要素（７）による紐締めの際に、ソール（３）の方向に引っ張り、第１のテンション部材（９）と第２のテンション部材（１０）は、テンション要素（１４）によって相互に接続される。【選択図】図１
2016525399.tif 000002
【特許請求の範囲】
【請求項１】
靴アッパー部（２）と、その靴アッパー部（２）に接合されたソール（３）とを備える特にスポーツ靴である靴（１）であって、
前記靴アッパー部（２）は、そのインステップ領域（４）に、２つの隣接配置されたテンション部（５）を有し、それらは間隙で隔てられていて、そこに、レーシングシステム（６，７）が配置されて、これにより、前記隣接配置されたテンション部（５）を互いに引き寄せることで、その靴（１）の着用者の足にその靴（１）を紐締めすることが可能であり、前記レーシングシステム（６，７）は、第１のテンション要素（７）を締めることができるセンタークロージャ（６）を有し、
その靴は、
少なくとも１つのテンション伝達要素（８）が配置されて、それは、好ましくは上テンション部材である第１のテンション部材（９）と、好ましくは下テンション部材である第２のテンション部材（１０）とを含み、
前記第１のテンション要素（７）は、前記第１のテンション部材（９）の中に係合して、これを、前記第１のテンション要素（７）による紐締めの際に、前記インステップ領域（４）の方向に引っ張り、
第２のテンション要素（１１）が、その両端（１２，１３）を前記ソール（３）または前記靴アッパー部（２）の底領域に固定されて配置され、前記第２のテンション要素（１１）は、前記第２のテンション部材（１０）の中に係合して、これを、前記第１のテンション要素（７）による紐締めの際に、前記ソール（３）の方向に引っ張り、
前記第１のテンション部材（９）と前記第２のテンション部材（１０）は、テンション要素（１４）によって相互に接続されている
ことを特徴とする靴。
【請求項２】
前記テンション要素（１４）は、その一端で、前記２つのテンション部材の一方（１０）である好ましくは前記第２のテンション部材に固定されていて、さらに、前記テンション要素（１４）は、好ましくは前記第１のテンション部材である他方のテンション部材（９）において、特にはアイレットであるアパーチャ（１５）を通り抜け、そして前記テンション要素（１４）は、その他端で、前記靴アッパー部（２）に固定されている
請求項１に記載の靴。
【請求項３】
前記テンション要素（１４）は、その厚さが最大でもその幅（Ｂ）の２０％であるバンドとして設計されている
請求項１または２に記載の靴。
【請求項４】
前記センタークロージャ（６）は、前記インステップ領域（４）の舌皮（１６）に配置されている
請求項１ないし３のいずれかに記載の靴。
【請求項５】
前記テンション部材（９，１０）の中には、前記第１または前記第２のテンション要素（７，１１）のためのアーチ形ガイドが配されている
請求項１ないし４のいずれかに記載の靴。
【請求項６】
前記第１のテンション部材（９）は、前記第１のテンション要素（７）のための単一のアーチ形ガイドを備える
請求項５に記載の靴。
【請求項７】
前記第２のテンション部材（１０）は、１つの第２のテンション要素（１１）用または２つの第２のテンション要素（１１）用の２つのアーチ形ガイドを備える
請求項５に記載の靴。
【請求項８】
前記第２のテンション要素（１１）は、前記ソールの少なくとも１つのアイレット（１７，１８）により案内されて、そこで曲がっていて、このとき、前記ソールのアイレット（１７、１８）は、前記ソール（３）または前記靴アッパー部（２）の底領域に配置されている
請求項１ないし７のいずれかに記載の靴。
【請求項９】
前記第２のテンション要素（１１）は、その靴（１）の踵領域（１９）に配された踵のアイレット（２０）によって案内されている
請求項１ないし８のいずれかに記載の靴。
【請求項１０】
前記第２のテンション要素（１１）は、前記第２のテンション部材（１０）と前記踵のアイレット（２０）との間で、少なくとも部分的に、前記靴アッパー部（２）の内部に、または前記靴アッパー部（２）の内側に沿って、延在している
請求項９に記載の靴。
【請求項１１】
前記第１のテンション要素（７）は、前記インステップ領域（４）の両側に配された複数の第１のテンション部材（９）を通って、延在している
請求項１ないし１０のいずれかに記載の靴。
【請求項１２】
前記第１のテンション要素（７）は、各テンション部（５）の２つの第１のテンション部材（９）の間で、そのテンション部（５）に接合されたガイド要素（２１）を通って、延在している
請求項１１に記載の靴。
【請求項１３】
前記靴アッパー部（２）の各側に、２つのテンション伝達要素（８）が配置されている
請求項１ないし１２のいずれかに記載の靴。
【請求項１４】
前記第１のテンション要素（７）および／または前記第２のテンション要素（１１）は、特にはアラミドである高抗張力材料で構成された線材からなる
請求項１ないし１３のいずれかに記載の靴。
【請求項１５】
前記第１のテンション部材（９）および／または前記第２のテンション部材（１０）は、プラスチック材料で構成されていて、少なくとも１つのアーチ形ガイドは、好ましくは射出成形法により形成される
請求項１ないし１４のいずれかに記載の靴。
【発明の詳細な説明】
【技術分野】
【０００１】
本発明は、靴アッパー部と、その靴アッパー部に接合されたソールとを備える靴、特にスポーツ靴に関するものであり、靴アッパー部は、そのインステップ領域に、２つの隣接配置されたテンション部を有し、それらは間隙で隔てられていて、そこに、レーシングシステムが配置されて、これにより、隣接配置されたテンション部を互いに引き寄せることで、靴の着用者の足に靴を紐締めすることが可能であり、そのレーシングシステムは、第１のテンション要素を締めることができるセンタークロージャを有する。
【背景技術】
【０００２】
そのようなセンタークロージャ（ロータリークロージャ）を備えたスポーツ靴は、例えば、特許文献１で知られている。センタークロージャすなわちロータリークロージャは、テンション要素（レーシング紐またはレーシングワイヤ）を締める際に、ロータリーノブを低トルクで回転させることで、靴を紐締めするための十分に高い紐締め力を生成することを可能とするものである。その場合、着用者の足に紐締め力が可能な限り均等にかかるように、引張力または紐締め力が効果的に配分されることが非常に重要である。これは、スポーツ用途の場合に特に言えることであり、例えば、ランニングの場合は、そのように、引張力を受けたレーシングワイヤで生じる張力が、可能な限り均等に着用者の足に伝わることが求められる。往々にして、周知のスポーツ靴は、この点において問題があり、張力は、靴アッパー部の領域のいくつかの部分にのみ配分され、従って、張力の配分は、全体として均等には生じない。
【０００３】
また、その場合、周知のレーシングでは、足の特定の領域を選択的に紐締めすることが不可能である。よって、同じく特にスポーツ用途において、前足部を選択的に紐締めできないという点で問題がある。
【先行技術文献】
【特許文献】
【０００４】
【特許文献１】ドイツ実用新案第２９７０１４９１号
【発明の概要】
【発明が解決しようとする課題】
【０００５】
そこで、本発明の目的は、着用者の足において改善された靴のレーシングが得られるように、一般的なタイプの靴をさらに改良することである。特に、センタークロージャによる靴の紐締めの際に生じる張力が、より均等に、着用者の足に配分されなければならない。これによって、ユーザの足における靴のホールドが向上されなければならない。さらには、その場合、前足部自体を選択的に紐締め可能であることも実現されなければならない。
【課題を解決するための手段】
【０００６】
本発明は、少なくとも１つのテンション伝達要素を配し、それは、好ましくは上テンション部材である第１のテンション部材と、好ましくは下テンション部材である第２のテンション部材と、を含み、第１のテンション要素は、第１のテンション部材の中に係合して、これを、第１のテンション要素による紐締めの際に、インステップ領域の方向に引っ張り、また、第２のテンション要素が、その両端をソールまたは靴アッパー部の底領域に固定されて配され、第２のテンション要素は、第２のテンション部材の中に係合して、これを、第１のテンション要素による紐締めの際に、ソールの方向に引っ張り、第１のテンション部材と第２のテンション部材は、テンション要素によって相互に接続されている、ことを特徴とする。
【０００７】
その場合、テンション要素を、その一端で、２つのテンション部材の一方である好ましくは第２のテンション部材に固定することができ、このとき、テンション要素は、好ましくは第１のテンション部材である他方のテンション部材において、特にはアイレットであるアパーチャを通り抜け、そしてテンション要素は、その他端で、靴アッパー部に固定される。これにより、滑車の原理を用いて、動力ギア比効果を、単純な方法で得ることができる。この場合、テンション要素は、その厚さが最大でもその幅の２０％であるバンドとして設計されることが好ましい。
【０００８】
センタークロージャは、好ましくは、インステップ領域の舌皮に配置される。その場合、舌皮は、テンション部を互いから隔てている間隙の下方に配置されている。
【０００９】
テンション部材の中に、第１または第２のテンション要素のためのアーチ形ガイドを配することができる。その場合、第１のテンション部材は、第１のテンション要素のための単一のアーチ形ガイドを備えることが好ましい。一方、別のソリューションにより、第２のテンション部材は、１つの第２のテンション要素用または２つの第２のテンション要素用の２つのアーチ形ガイドを備えるものとすることもできる。
【００１０】
さらなる改良によれば、第２のテンション要素は、ソールの少なくとも１つのアイレットにより案内されて、そこで曲がっていて、その場合、ソールのアイレットは、ソールまたは靴アッパー部の底領域に配置すなわち固定されている。
【００１１】
靴の踵領域に配された踵のアイレットによって、第２のテンション要素を案内することができる。その場合、好ましくは、第２のテンション要素は、第２のテンション部材と踵のアイレットとの間で、少なくとも部分的に、靴アッパー部の内部に、または靴アッパー部の内側に沿って、延在している。
【００１２】
第１のテンション要素は、インステップ領域の両側に配された複数の第１のテンション部材を通って、延在し得る。その場合、特に、第１のテンション要素は、各テンション部の２つの第１のテンション部材の間で、そのテンション部に接合されたガイド要素を通って、延在するものとされる。
【００１３】
靴の具体的な一実施形態では、靴アッパー部の各側に、２つのテンション伝達要素が配置されるものとする。
【００１４】
第１のテンション要素と第２のテンション要素のそれぞれは、高抗張力材料で、特にアラミド（中でも、ＫＥＶＬＡＲ（登録商標））で、構成された線材からなるものとすることができる。第１のテンション部材と第２のテンション部材のそれぞれは、好ましくは、プラスチック材料で構成され、少なくとも１つのアーチ形ガイドは、好ましくは射出成形法により形成される。
【００１５】
提案される靴は、具体的には、スポーツ靴として、特にランニングシューズとして、設計されることが好ましい。
【発明の効果】
【００１６】
第１のテンション要素と、特に第２のテンション要素が、その中に係合するテンション伝達要素は、好ましくは、前足部領域、中足部領域、踵領域における靴アッパー部の表面の主要部分に沿って分散配置される。これにより、着用者の足における靴のホールドを最適化することができる。同時に、応力集中（いわゆる刺激点）を軽減できる。
【００１７】
その場合、第２のテンション要素が、中足骨頭を横切らないように案内され得ることで、着用者の足における靴の自然かつ適切な張力を確保することができる。
【００１８】
よって、本発明により、靴用の、特にスポーツ靴用の、レーシングシステムすなわちテンショニングシステムが提供され、これによれば、靴のテンショニングすなわち紐締めは、ロータリークロージャすなわちセンタークロージャによって容易に可能である。その場合、テンション要素が（特に、第２のテンション要素が）案内されることによって、効果的な張力の配分が得られ、このとき、第２のテンション要素は、好ましくは、ソール領域に固定されて、テンション伝達要素まで上向きに延びている。
【００１９】
本発明の特殊な実施形態により、左右の足用の２つの靴を対称ではなく非対称に設計することが提案される。これにより、一部のスポーツにおける特殊な要求を満たすことができる。提案される靴をゴルフで使用するときには、ゴルフスイングの際の足の回転で生じる力に対抗するために、テンション要素によるラテラルサポート機能が求められる。この場合、上記効果を得るために、左右の靴を、テンション要素の経路に関して異なる設計とすることができる。
【００２０】
提案される設計により、着用者の足において、改善された靴のテンショニングすなわちレーシングが得られる。靴アッパー部の広い部分にわたる平坦かつ分散されたテンショニングすなわちレーシングが得られることで、スパンテンションのより均一な分布につながる。このように、提供されるテンション伝達要素および（第２の）テンション要素によって、足の表面に作用する張力が均一化されるテンショニングシステムが提案される。このようにして得られる、着用者の足における靴のより優れたホールドは、特にスポーツにおいて有用である。
【００２１】
第２のテンション要素は、説明されたように、ソールに、または靴アッパー部とソールとの間の領域に、固定される。ただし、その場合、固定点（定着点）は、厳密に靴アッパー部とソールとの間の移行部に位置するわけではないことも、理解されなければならない。定着点が、靴アッパー部において、ソールの少し上方に位置することも可能である。一方、定着点は、靴アッパー部からソールへの移行点よりも少し深い位置とすることもできる。
【図面の簡単な説明】
【００２２】
【図１】本発明によるレーシングシステムを備えたスポーツ靴の側面図
【図２】図１による側面図からの拡大部分図
【発明を実施するための形態】
【００２３】
図面に、本発明の一実施形態を示す。
【００２４】
これらの図面に、スポーツ靴として設計された靴１を示している。靴１は、周知のように、靴アッパー部２と、その靴アッパー部２の底に固定されたソール３と、を備える。着用者の足における靴１のテンショニングすなわち紐締めのために、靴のインステップ領域４に、２つのテンション部５（そのうちの一方のみが見えている）が設けられていて、それらの間に間隙が形成されている。テンション部５は、靴の紐締めの際に、互いに引き寄せられる。間隙の下方には、周知のように、舌皮１６が配置されていて、これは、その下側にクッション材を含んでいる。
【００２５】
テンショニングすなわち紐締め自体のために、センタークロージャ（ロータリークロージャ）６が採用されて、これが、舌皮１６上に配置されている。第１のテンション要素（テンションワイヤ）７を、センタークロージャによって締める。よって、センタークロージャ６と第１のテンション要素７は、靴１の紐締めに供するレーシングシステムの一部である。
【００２６】
いくつかの、すなわち、この場合は靴１の各側に２つの、テンション伝達要素８が設けられることは、必須である。それぞれのテンション伝達要素８は、第１の、上テンション部材９と、第２の、下テンション部材１０と、を含む。センタークロージャによる引張力を受ける前述の第１のテンション要素７は、第１のテンション部材９の中に、すなわち、そのアーチ形ガイド２２（図２を参照）の中に、係合している。従って、靴のテンショニングすなわち紐締めの際には、第１のテンション部材９は、第１のテンション要素７によって、インステップ領域４の方向に（上方に）引っ張られる。
【００２７】
さらに、いくつかの第２のテンション要素１１が設けられる。それらは、その各端１２および１３で、ソール３に固定されている。第２のテンション要素１１の各々は、第２のテンション部材１０の中に係合していて、それを、靴のテンショニングすなわち紐締めの際に下方向すなわちソール３の方向に引っ張る。第２のテンション部材１０にも、アーチ形ガイド２３が加工されていて（図２を参照）、そこを、それぞれの第２のテンション要素１１が通り抜けている。
【００２８】
第１のテンション部材９と第２のテンション部材１０は、テンション要素１４によって相互に接続されている。テンション要素１４は、テンションバンドとして設計されていて、テンション要素１４の厚さと比較して相当に大きい幅Ｂ（図２を参照）を有している。テンション要素１４は、第１のテンション部材９におけるアイレット１５を通って案内されている。テンション要素１４は、その一端で、第２のテンション部材１０に接続されている（これは、第２のテンション部材１０の射出成形の際に、射出成形金型にテンション要素１４を挿入することにより、その場で行うことができる）。テンション要素１４は、他端で、靴アッパー部２に接続されていて、例えば、そこに縫い付けられている。
【００２９】
図１で分かるように、この場合、前側に位置するテンション伝達要素８に対して、２つの第２のテンション要素１１が設けられていて、それらが、アーチ形ガイド２３を通って案内されて、ソール３の上端に固定されている。これにより、紐締めの際の引張力は、比較的大きな領域に分散される。
【００３０】
一方、後側に位置するテンション伝達要素８の例に関して、図１で分かるように、この場合、１つのみの第２のテンション要素１１が設けられていて、それは同じく、実際に第２のテンション部材１０の２つのアーチ形ガイド２３を通って案内されているが、ただし、この場合は、ソールのアイレット１７および１８がソール３に固定されていて、それらの中を第２のテンション要素１１が通って案内されている。その結果として、第２のテンション要素１１は、図１に示すように案内される。
【００３１】
後側（右）のテンション伝達要素８の第２のテンション要素１１の案内についての、さらに特別な点は、以下のことである。第２のテンション部材１０から右に出た第２のテンション要素１１が、靴１の踵領域１９の履き口に沿って、この場合は、踵のアイレット２０まで、案内されている。そして、第２のテンション要素１１は、踵のアイレット２０から、ソールまで下に延びている。これにより、同じく、紐締め力すなわち引張力を、靴アッパー部２の表面上で比較的大きな領域に分散させることが実現される。この場合、第２のテンション要素１１は、部分的に靴アッパー部の内側に延在していて、このため、アパーチャ２４および２５が設けられて、この中を、第２のテンション要素１１が、外側から内側へ（アパーチャ２４）、内側から外側へ（アパーチャ２５）、それぞれ突き抜けている。
【００３２】
第１のテンション要素７は、センタークロージャ６に直接架けられて、両方のテンション伝達要素８に属する２つの第１のテンション部材９を通って延在している。ただし、２つのテンション伝達要素８すなわち第１のテンション部材９の間で、テンション部５にガイド要素２１が固定されていて、その中で、第１のテンション要素７は、それぞれのアーチ形ガイドを通って案内されている。
【符号の説明】
【００３３】
１    靴
２    靴アッパー部
３    ソール
４    インステップ領域
５    テンション部
６，７    レーシングシステム
６    センタークロージャ
７    第１のテンション要素（テンションワイヤ）
８    テンション伝達要素
９    第１の（上）テンション部材
１０    第２の（下）テンション部材
１１    第２のテンション要素
１２    第２のテンション要素の端
１３    第２のテンション要素の端
１４    テンション要素（テンションバンド）
１５    第１のテンション部材のアパーチャ（アイレット）
１６    舌皮
１７    ソールのアイレット
１８    ソールのアイレット
１９    踵領域
２０    踵のアイレット
２１    ガイド要素
２２    アーチ形ガイド
２３    アーチ形ガイド
２４    アパーチャ
２５    アパーチャ
Ｂ    テンション要素の幅
【図１】
2016525399.tif 000003
【図２】
2016525399.tif 000004
【国際調査報告】
2016525399.tif 000005
2016525399.tif 000006
2016525399.tif 000007
2016525399.tif 000008
2016525399.tif 000009
2016525399.tif 000010